(57)【要約】【課題】誤操作を確実に防止できる光ファイバ接続工具を提供する。【解決手段】第１光ファイバ固定部９０は、一対の延出部９６，９７を備え、これら延出部９６，９７の間の第１ユニット収容空間９９には、第１光ファイバ接続用ユニット１０の先端部が進入可能である。第２光ファイバ固定部１９０は、一対の延出部１９６，１９７を備え、延出部１９６，１９７の間の第２ユニット収容空間１９９には、第２光ファイバ接続用ユニット２０の先端部が進入可能である。第１光ファイバ固定部９０の延出部９６には、第２光ファイバ接続用ユニット２０が第１ユニット収容空間９９に進入するのを妨げる第１進入阻止部９６ｂが形成されている。第２光ファイバ固定部１９０の延出部１９７には、第１光ファイバ接続用ユニット１０が第２ユニット収容空間１９９に進入するのを妨げる第２進入阻止部１９７ｂが形成されている。【選択図】図２９
2014167578.tif 000002
【特許請求の範囲】
【請求項１】
一方側の光ファイバを保持する第１光ファイバ接続用ユニットと、前記一方側の光ファイバと突き合わせる他方側の光ファイバを固定する第１光ファイバ固定部と、これらが載置される接続治具と、を備え、
前記接続治具は、前記第１光ファイバ固定部を保持する保持部と、前記第１光ファイバ接続用ユニットを、前記第１光ファイバ固定部に接近する方向に導く案内部とを有し、
前記保持部は、前記第１光ファイバ固定部に代えて、第２光ファイバ固定部を保持可能であり、
前記案内部は、前記第１光ファイバ接続用ユニットに代えて、第２光ファイバ接続用ユニットを前記第２光ファイバ固定部に接近する方向に導くことができ、
前記第１光ファイバ固定部は、前記他方側の光ファイバが固定される基体部と、前記基体部から前記案内部に向けて延出する一対の延出部とを備え、これら延出部の間に確保された第１ユニット収容空間には、前記第１光ファイバ接続用ユニットの先端部が進入可能であり、
前記第２光ファイバ固定部は、前記他方側の光ファイバが固定される基体部と、前記基体部から前記案内部に向けて延出する一対の延出部とを備え、これら延出部の間に確保された第２ユニット収容空間には、前記第２光ファイバ接続用ユニットの先端部が進入可能であり、
前記第１光ファイバ固定部の延出部の少なくとも一方には、前記第２光ファイバ接続用ユニットが前記第１ユニット収容空間に進入するのを妨げる第１進入阻止部が形成され、
前記第２光ファイバ固定部の延出部の少なくとも一方には、前記第１光ファイバ接続用ユニットが前記第２ユニット収容空間に進入するのを妨げる第２進入阻止部が形成されている光ファイバ接続工具。
【請求項２】
前記第１光ファイバ接続用ユニットは、一端側から挿入された前記一方側の光ファイバを、他端側から挿入された前記他方側の光ファイバに突き合わせ接続させる第１メカニカルスプライスを有し、
前記第２光ファイバ接続用ユニットは、フェルールに内蔵された前記一方側の光ファイバを前記他方側の光ファイバに突き合わせ接続させる第２メカニカルスプライスを有する請求項１に記載の光ファイバ接続工具。
【請求項３】
前記第１進入阻止部は、前記第１ユニット収容空間に向けて突出する凸部であり、
前記第２進入阻止部は、前記第２ユニット収容空間に向けて突出する凸部である請求項１または２に記載の光ファイバ接続工具。
【請求項４】
前記第１光ファイバ固定部の前記一対の延出部は、それぞれ前記基体部の一側部および他側部に形成され、
前記第２光ファイバ固定部の前記一対の延出部は、それぞれ前記基体部の一側部および他側部に形成され、
前記第１進入阻止部は、前記一側部の延出部に形成され、
前記第２進入阻止部は、前記他側部の延出部に形成されている請求項１〜３のうちいずれか１項に記載の光ファイバ接続工具。
【請求項５】
前記第１光ファイバ固定部と、前記第２光ファイバ固定部とは、異なる色を呈し、
前記第１光ファイバ接続用ユニットの少なくとも一部は、前記第１光ファイバ固定部と同系の色を呈し、
前記第２光ファイバ接続用ユニットの少なくとも一部は、前記第２光ファイバ固定部と同系の色を呈する請求項１〜４のうちいずれか１項に記載の光ファイバ接続工具。
【発明の詳細な説明】
【技術分野】
【０００１】
本発明は、光ファイバ接続工具に関する。
【背景技術】
【０００２】
特許文献１には、２本の光ファイバをそれぞれ把持する一対の把持部と、光ファイバの端部同士を突き合わせ接続して挟持する挟持部材とを有する光ファイバ接続器が開示されている。
【先行技術文献】
【特許文献】
【０００３】
【特許文献１】特開２０１０−１４５９５１号公報
【発明の概要】
【発明が解決しようとする課題】
【０００４】
光ファイバ接続工具を用いた接続作業の目的となる光ファイバ接続器が２種以上ある場合には、これらを取り違えることによる光ファイバの誤接続を防ぐ必要がある。
本発明は、光ファイバの誤接続を防ぐことができる光ファイバ接続工具を提供することを課題とする。
【課題を解決するための手段】
【０００５】
本発明は、一方側の光ファイバを保持する第１光ファイバ接続用ユニットと、前記一方側の光ファイバと突き合わせる他方側の光ファイバを固定する第１光ファイバ固定部と、これらが載置される接続治具と、を備え、前記接続治具は、前記第１光ファイバ固定部を保持する保持部と、前記第１光ファイバ接続用ユニットを、前記第１光ファイバ固定部に接近する方向に導く案内部とを有し、前記保持部は、前記第１光ファイバ固定部に代えて、第２光ファイバ固定部を保持可能であり、前記案内部は、前記第１光ファイバ接続用ユニットに代えて、第２光ファイバ接続用ユニットを前記第２光ファイバ固定部に接近する方向に導くことができ、前記第１光ファイバ固定部は、前記他方側の光ファイバが固定される基体部と、前記基体部から前記案内部に向けて延出する一対の延出部とを備え、これら延出部の間に確保された第１ユニット収容空間には、前記第１光ファイバ接続用ユニットの先端部が進入可能であり、前記第２光ファイバ固定部は、前記他方側の光ファイバが固定される基体部と、前記基体部から前記案内部に向けて延出する一対の延出部とを備え、これら延出部の間に確保された第２ユニット収容空間には、前記第２光ファイバ接続用ユニットの先端部が進入可能であり、前記第１光ファイバ固定部の延出部の少なくとも一方には、前記第２光ファイバ接続用ユニットが前記第１ユニット収容空間に進入するのを妨げる第１進入阻止部が形成され、前記第２光ファイバ固定部の延出部の少なくとも一方には、前記第１光ファイバ接続用ユニットが前記第２ユニット収容空間に進入するのを妨げる第２進入阻止部が形成されている光ファイバ接続工具を提供する。
前記第１光ファイバ接続用ユニットは、一端側から挿入された前記一方側の光ファイバを、他端側から挿入された前記他方側の光ファイバに突き合わせ接続させる第１メカニカルスプライスを有し、前記第２光ファイバ接続用ユニットは、フェルールに内蔵された前記一方側の光ファイバを前記他方側の光ファイバに突き合わせ接続させる第２メカニカルスプライスを有することが好ましい。
前記第１進入阻止部は、前記第１ユニット収容空間に向けて突出する凸部であり、前記第２進入阻止部は、前記第２ユニット収容空間に向けて突出する凸部であることが好ましい。
前記第１光ファイバ固定部の前記一対の延出部は、それぞれ前記基体部の一側部および他側部に形成され、前記第２光ファイバ固定部の前記一対の延出部は、それぞれ前記基体部の一側部および他側部に形成され、前記第１進入阻止部は、前記一側部の延出部に形成され、前記第２進入阻止部は、前記他側部の延出部に形成されていることが好ましい。
前記第１光ファイバ固定部と、前記第２光ファイバ固定部とは、異なる色を呈し、前記第１光ファイバ接続用ユニットの少なくとも一部は、前記第１光ファイバ固定部と同系の色を呈し、前記第２光ファイバ接続用ユニットの少なくとも一部は、前記第２光ファイバ固定部と同系の色を呈することが好ましい。
【発明の効果】
【０００６】
本発明によれば、光ファイバ接続用ユニットと光ファイバ固定部との組み合わせが正しくない場合には、第１進入阻止部または第２進入阻止部によって、光ファイバ固定部に対する光ファイバ接続用ユニットの接近が妨げられ、接続作業を行うことができないため、誤操作を確実に防止できる。
【図面の簡単な説明】
【０００７】
【図１】本発明の第１実施形態の光ファイバ接続工具を示す斜視図である。
【図２】光ファイバ接続工具を示す分解斜視図である。
【図３】光ファイバ接続工具を示す側面図である。
【図４】光ファイバ接続工具を示す平面図である。
【図５】光ファイバ接続用ユニットを示す斜視図である。
【図６】ユニットベースを示す斜視図である。
【図７】メカニカルスプライスの一例を示す斜視図である。
【図８】メカニカルスプライスの構造を説明する分解斜視図である。
【図９】メカニカルスプライスにおける光ファイバの挿入および把持状態を説明する断面図である。
【図１０】スプライス用工具を示す斜視図である。
【図１１】介挿部材をメカニカルスプライスの素子の間に割り入れた様子を示す断面図である。
【図１２】介挿部材をメカニカルスプライスの素子の間に割り入れた様子を示す、側方から見た一部断面図である。
【図１３】ファイバホルダを示す斜視図である。
【図１４】（ａ）ケーブル把持部材を一方側から見た斜視図である。（ｂ）（ａ）のケーブル把持部材を他方側から見た斜視図である。
【図１５】接続治具を示す斜視図である。
【図１６】光ファイバケーブルの一例の構造を示す斜視図である。
【図１７】光ファイバ接続工具の組み立て工程を示す工程図である。
【図１８】光ファイバ接続工具の組み立て工程を示す工程図である。
【図１９】光ファイバ接続工具の組み立て工程を示す工程図である。
【図２０】本発明の第２実施形態の光ファイバ接続工具を示す斜視図である。
【図２１】光ファイバ接続工具を示す分解斜視図である。
【図２２】光ファイバ接続用ユニットを示す斜視図である。
【図２３】クランプ部付きフェルールの構造を説明する分解斜視図である。
【図２４】クランプ部付きフェルールと介挿部材との関係を説明する断面図である。
【図２５】ファイバホルダを示す斜視図である。
【図２６】第１実施形態で用いられる第１ファイバホルダのユニット収容空間に、第１光ファイバ接続用ユニットの前端部を収容した状態を示す前面図である。
【図２７】第２実施形態で用いられる第２ファイバホルダのユニット収容空間に、第２光ファイバ接続用ユニットの前端部を収容した状態を示す前面図である。
【図２８】光ファイバ接続工具の組み立て工程を示す工程図である。
【図２９】光ファイバ接続用ユニットとファイバホルダの組み合わせを示す説明図である。
【発明を実施するための形態】
【０００８】
以下、本発明の光ファイバ接続工具の第１の実施形態を説明する。
図１〜図４に示すように、光ファイバ接続工具１００は、光ファイバケーブル２４の端末２４ａに取り付けられた光ファイバ接続用ユニット１０と、端末２４ａから引き出された延出光ファイバ２１に突き合わせる挿入光ファイバ１を把持した第１ファイバホルダ９０（第１光ファイバ固定部）と、これらが載置される接続治具１１０と、を備えている。
以下の説明において、図３における上下方向に即して上下方向を規定して説明を行うことがある。
【０００９】
光ファイバ接続用ユニット１０（第１光ファイバ接続用ユニット）は、光ファイバケーブル２４の端末から引き出される延出光ファイバ２１（第１の光ファイバ、一方側の光ファイバ）を、挿入光ファイバ１（第２の光ファイバ、他方側の光ファイバ）と突き合わせて把持固定するメカニカルスプライス３０（第１メカニカルスプライス、接続機構）と、光ファイバケーブル２４を把持するケーブル把持部材７０（光ファイバ把持部）と、これらを保持するユニットベース１１と、スライダ１２０（被案内部）とを備えている。
光ファイバ接続用ユニット１０については、ファイバホルダ９０に近づく方向（図３の右方向）を前方といい、その反対方向を後方と言うことがある。また、メカニカルスプライスは、単に「スプライス」とも言う。
【００１０】
図２、図５、図６、図１６に示すように、ユニットベース１１は、スプライス３０を脱着可能に保持するメカニカルスプライス保持部６０（以下、スプライス保持部６０と言う）と、光ファイバケーブル２４の端末２４ａを脱着可能に把持するケーブル把持部材７０が保持される把持部材保持部５０と、を有する。
スプライス保持部６０は、基体部６１と、基体部６１の一側縁に立設された一側突壁部６２と、基体部６１の他側縁に立設された他側突壁部６３と、一側突壁部６２の前端に設けられた前側突壁部６４と、突壁部６２、６３の後端にそれぞれ設けられた後側突壁部６５とを有する。
スプライス保持部６０は、スプライス３０を、向かい合う一側突壁部６２と他側突壁部６３の間に確保されたスプライス収納空間６７に収納して保持することができる。
【００１１】
突壁部６２、６３の上縁には、長さ方向の中間位置に、スプライス用工具８０の介挿部材駆動部８２（受圧壁部８６）が嵌合する嵌合凹部６２ｃ、６３ｃが形成されている。
【００１２】
図６および図２６に示すように、一側突壁部６２の外面６２ａ（ファイバホルダ９０の一側延出部９６側に相当）には、光ファイバ接続用ユニット１０の前端部をファイバホルダ９０のユニット収容空間９９に収容したときに、ファイバホルダ９０の照合用凸部９６ｂが入り込むことができる照合用凹部６２ｂが形成されている。図示例の照合用凹部６２ｂは、断面矩形の照合用凸部９６ｂに沿う断面矩形状である。照合用凹部６２ｂは、前後方向に沿う溝状に形成されている。
【００１３】
前側突壁部６４と後側突壁部６５との離隔距離は、スプライス３０の長手方向寸法に応じて設定されており、スプライス３０は、前側突壁部６４と後側突壁部６５によって基体部６１に対する前後方向の位置ずれが規制される。
スプライス保持部６０は、スプライス３０を脱着可能に保持できる。
【００１４】
図６、図１７に示すように、把持部材保持部５０は、基体部５１と、基体部５１の一側縁に立設された一側突壁部５２と、基体部５１の他側縁に立設された他側突壁部５３と、ケーブル把持部材７０を位置決めするレバー部材１５０とを有し、ケーブル把持部材７０を基体部５１上で保持できる。
【００１５】
図６、図１２、図１７に示すように、レバー部材１５０は、把持部材保持部５０に保持されたケーブル把持部材７０に被せるカバー板１５１と、その両側に設けられた側板１５２、１５２、後退規制片１５４とを有する。
レバー部材１５０は、把持部材保持部５０の両側部の回転軸５５を中心として回動することにより、ケーブル把持部材７０を保持してその後退を規制する規制位置（図１２の実線で示す位置）と、ケーブル把持部材７０の後退を規制しない待機位置（図１２の２点鎖線で示す位置）とを切り替え可能である。
【００１６】
側板１５２は、把持部材保持部５０の両側部に突設された回転軸５５が挿入される軸受穴１５２ａを有する。回転軸５５を軸受穴１５２ａに挿入すると、レバー部材１５０が把持部材保持部５０に対して回動可能に枢着される。
レバー部材１５０は、規制位置において、後退規制片１５４（図１７参照）をケーブル把持部材７０の後側に配置することにより、ユニットベース１１に対するケーブル把持部材７０の後退を規制することができる。
側板１５２は、把持部材保持部５０の外面５０ａに突出された係合突起５０ｂに係合する係合穴１５２ｂを有する。係合突起５０ｂを係合穴１５２ｂに係合させることにより、レバー部材１５０を規制位置に維持することができる。
【００１７】
把持部材保持部５０及びスプライス保持部６０は一体に形成することが好ましい。例えば、プラスチック製の一体成形品とすることができる。
なお、改変例として、把持部材保持部５０が、ケーブル把持部材７０を載せてスライド可能に設けられる板状のガイド部材（図示せず）を有する構造を挙げることができる。ガイド部材は、ケーブル把持部材７０とともに前進することで、把持部材保持部５０の内部へと収容される。
【００１８】
図４、図５に示すように、把持部材保持部５０とスプライス保持部６０の間には、ケーブル把持部材７０の前側突出部７５から突出する延出光ファイバ２１の先端を、スプライス３０のテーパ状開口部３４ｂ（図３参照）に向けて案内する光ファイバ案内部１３が設けられている。
光ファイバ案内部１３は、テーパ状開口部３４ｂの中央部に向けて傾斜する内面を有し、ケーブル把持部材７０を把持部材保持部５０に挿入するときに、延出光ファイバ２１の先端をスプライス３０のテーパ状開口部３４ｂへと案内することができる。
【００１９】
ユニットベース１１内には、スプライス３０と、ケーブル把持部材７０の把持ベース７１との間に、延出光ファイバ２１が撓み変形することが可能な撓み空間１２が確保されている。
【００２０】
図７〜図９に示すように、スプライス３０は、細長板状のベース部材３１と、該ベース部材３１の長手方向に沿って配列設置した３つの蓋部材３２１、３２２、３２３によって構成される押さえ蓋３２と、これらを互いに閉じ合わせる方向に弾性付勢する細長形状のクランプばね３３とを有する。
ベース部材３１（ベース側素子）と蓋部材３２１、３２２、３２３（蓋側素子）とは、半割り把持部材３４を構成する。
【００２１】
スプライス３０については、その長手方向において、延出光ファイバ２１が挿入される側（図９の左側）を後、反対側（図９の右側）を前として説明する。
スプライス３０の押さえ蓋３２を構成する３つの蓋部材（蓋側素子）３２１、３２２、３２３のうち、最も後側に位置する符号３２１の蓋部材を後蓋部材とも言い、最も前側に位置する符号３２３の蓋部材を前蓋部材とも言う。また、後蓋部材３２１と前蓋部材３２３との間に位置する符号３２２の蓋部材を中蓋部材とも言う。
【００２２】
図８、図９に示すように、スプライス３０のベース部材３１は、その長手方向の全長にわたって、蓋部材３２１、３２２、３２３に対向する対向面３１ａが形成されている。対向面３１ａの長手方向（延在方向）中央部には、ベース部材３１の長手方向に沿う調心溝３１ｂが形成されている。
調心溝３１ｂは、延出光ファイバ２１先端に口出しされた裸光ファイバ２１ａと、挿入光ファイバ１先端に口出しされた裸光ファイバ１ａとを突き合わせ接続（光接続）可能に互いに高精度に位置決め、調心する。調心溝３１ｂは、例えばＶ溝（断面Ｖ字状の溝）である。調心溝３１ｂはＶ溝に限定されず、例えば断面半円状の溝や、Ｕ溝（断面Ｕ字状の溝）等も採用可能である。
調心溝３１ｂは、ベース部材３１の対向面３１ａの中蓋部材３２２に対向する部分に形成されている。
【００２３】
対向面３１ａの後蓋部材３２１に対向する部分及び前蓋部材３２３に対向する部分には、調心溝３１ｂに比べて溝幅が大きい被覆部挿入溝３１ｃ、３１ｄが形成されている。被覆部挿入溝３１ｃ、３１ｄは、ベース部材３１長手方向において調心溝３１ｂの両側に、ベース部材３１の長手方向に沿って延在形成されている。
被覆部挿入溝３１ｃ、３１ｄと調心溝３１ｂとの間には、被覆部挿入溝３１ｃ、３１ｄから調心溝３１ｂ側に行くにしたがって溝幅が小さくなるテーパ状のテーパ溝３１ｅ、３１ｆが形成されている。各被覆部挿入溝３１ｃ、３１ｄは、テーパ溝３１ｅ、３１ｆを介して調心溝３１ｂと連通されている。
【００２４】
前蓋部材３２３の対向面３２３ａには、ベース部材３１の被覆部挿入溝３１ｄに対応する位置に、挿入光ファイバ１の被覆部が挿入される被覆部挿入溝３２３ｂが形成されている。
後蓋部材３２１の対向面３２１ａには、ベース部材３１の被覆部挿入溝３１ｃに対応する位置に、挿入光ファイバ１の被覆部が挿入される被覆部挿入溝３２１ｂが形成されている。
【００２５】
スプライス３０の半割り把持部材３４の前端には、前蓋部材３２３及びベース部材３１に、それぞれ、その前端面から後側に行くにしたがって先細りのテーパ状に形成された凹所からなるテーパ状開口部３４ａが開口している。このテーパ状開口部３４ａの後端（奥端）は被覆部挿入溝３２３ｂ、３１ｄと連通している。
スプライス３０の半割り把持部材３４の後端には、後蓋部材３２１及びベース部材３１に、それぞれ、その後端面から前側に行くにしたがって先細りのテーパ状に形成された凹所からなるテーパ状開口部３４ｂが開口している。このテーパ状開口部３４ｂの前端（奥端）は被覆部挿入溝３２１ｂ、３１ｃと連通している。
【００２６】
図７に示すように、スプライス３０の半割り把持部材３４における、クランプばね３３の背板部３３ａとは反対側（以下、開放側）に露出する側面には、介挿部材８１の介挿片部８１ａを挿入するための介挿部材挿入穴３５が開口されている。
介挿部材挿入穴３５は、中蓋部材３２２の後端部及び前端部に対応する２箇所と、後蓋部材３２１及び前蓋部材３２３のベース部材３１長手方向の中央部に対応する位置の、計４箇所に形成されている。
【００２７】
図７〜図９に示すように、クランプばね３３は、１枚の金属板を成形したものであって、細長板状の背板部３３ａの両側から、該背板部３３ａの長手方向全長にわたって、背板部３３ａに垂直に側板部３３ｂが張り出された構成になっている。
スプライス３０のベース部材３１及び３つの蓋部材３２１、３２２、３２３は、その互いに対向する対向面３１ａ、３２１ａ、３２２ａ、３２３ａが、クランプばね３３の一対の側板部３３ｂの間隔方向に概ね垂直となる向きで一対の側板部３３ｂの間に把持されている。
一対の側板部３３ｂの一方はベース部材３１に当接し、他方の側板部３３ｂは押さえ蓋３２に当接する。
【００２８】
クランプばね３３の一対の側板部３３ｂは、それぞれ、切り込み部３３ｄによって、スプライス３０の押さえ蓋３２の３つの蓋部材３２１、３２２、３２３に対応する３つの部分に分かれている。
クランプばね３３は、後蓋部材３２１とベース部材３１とを保持する第１クランプばね部３３１と、中蓋部材３２２とベース部材３１とを保持する第２クランプばね部３３２と、前蓋部材３２３とベース部材３１とを保持する第３クランプばね部３３３とを有する。
第１クランプばね部３３１の一対の側板部に符号３３１ｂ、第２クランプばね部３３２の一対の側板部に符号３３２ｂ、第３クランプばね部３３３の一対の側板部に符号３３３ｂを付記する。
【００２９】
図９に示すように、延出光ファイバ２１の端部は、スプライス３０の細長形状の半割り把持部材３４の長手方向片端から長手方向中央部まで挿入される。
延出光ファイバ２１のうち、半割り把持部材３４を構成するベース部材３１と押さえ蓋３２との間に挿入された部分を、以下、挿入端部とも言う。
【００３０】
延出光ファイバ２１の挿入端部は、その先端の裸光ファイバ２１ａの部分がベース部材３１と中蓋部材３２２との間に配置され、被覆２１ｂを有する部分がベース部材３１と後蓋部材３２１との間に配置される。
スプライス３０の前側からベース部材３１と中蓋部材３２２との間に、他の光ファイバ１を挿入することで、該光ファイバ１（以下、挿入光ファイバとも言う）の先端を延出光ファイバ２１先端（挿入端部先端）に突き合わせ接続できる。また、スプライス３０の半割りの素子の間、すなわちベース部材３１（ベース側素子）と押さえ蓋３２（蓋側素子）との間に、延出光ファイバ２１と該光ファイバ２１に突き当てた挿入光ファイバ１とを、クランプばね３３の弾性によって把持固定できる。
【００３１】
図８、図９に示すように、挿入光ファイバ１の挿入端部は、その先端に口出しされた裸光ファイバ１ａの部分がベース部材３１と中蓋部材３２２との間に配置され、被覆１ｂを有する部分（被覆部）がベース部材３１と前蓋部材３２３との間に配置される。
【００３２】
図１４（ａ）に示すように、ケーブル把持部材７０は、光ファイバケーブル２４を嵌め込むケーブル嵌合溝７１ａが形成された把持ベース７１と、把持ベース７１のケーブル嵌合溝７１ａの溝幅方向両側の側壁部７１ｂ、７１ｃの一方に枢着された押さえ蓋７２と、把持ベース７１から突出する前側突出部７５と、を有する。
【００３３】
把持ベース７１は、底壁部７１ｄに一対の側壁部７１ｂ、７１ｃが立設され、これらの間にケーブル嵌合溝７１ａが確保されている。
側壁部７１ｂ、７１ｃの互いに対向する面には、光ファイバケーブル２４の端末２４ａを把持する複数の把持用突起７１ｆが形成されている。図示例のケーブル把持部材７０の把持用突起７１ｆは、ケーブル嵌合溝７１ａの深さ方向に延在する断面三角形状の突条とされている。
【００３４】
押さえ蓋７２は、薄肉部７３を介して把持ベース７１の第１側壁部７１ｂに繋がっている天板部７２ａと、天板部７２ａの薄肉部７３とは反対側の端部から天板部７２ａに垂直に形成された係止板部７２ｂとを有する。
薄肉部７３はヒンジ部として機能するため、押さえ蓋７２は、ケーブル嵌合溝７１ａの延在方向に沿う軸線を以て回動可能とされている。
把持ベース７１の一対の側壁部７１ｂ、７１ｃの他方を第２側壁部７１ｃとも言う。
【００３５】
図１４（ｂ）に示すように、押さえ蓋７２は、天板部７２ａがケーブル嵌合溝７１ａを閉じる状態で（閉状態）、第２側壁部７１ｃ外面の係止用爪７１ｅを係止用窓孔７２ｃに係止させることによって、把持ベース７１に対する閉状態を安定維持できる。
ケーブル把持部材７０は、プラスチック製の一体成形品であることが好ましい。
【００３６】
前側突出部７５は、底壁部７５ｂと、底壁部７５ｂの上面側に突設された側壁部７５ｃとを有するＬ字板状とされ、把持ベース７１の前端部７１ｇに、ケーブル嵌合溝７１ａの延在方向に突出して形成されている。
底壁部７５ｂの上面には、前側突出部７５の延在方向に沿って、延出光ファイバ２１を収容する光ファイバ保持溝７４が形成されている。
光ファイバ保持溝７４は、上に向けて開放されて形成されているため、内部に収容した延出光ファイバ２１の上方移動を規制しない。このため、光ファイバ保持溝７４に保持された部分の延出光ファイバ２１は、上方に撓み変形することができる。
【００３７】
図１４（ａ）に示すように、押さえ蓋７２を開放状態として、光ファイバケーブル２４の端末２４ａをケーブル嵌合溝７１ａに嵌め込むと、把持ベース７１の側壁部７１ｂ、７１ｃの把持用突起７１ｆが光ファイバケーブル２４の外被２５の側面に当接し、光ファイバケーブル２４の端末２４ａが把持固定される。
光ファイバケーブル２４の外被２５の前端は、ケーブル嵌合溝７１ａの前端に達することが好ましい。
【００３８】
図１４（ｂ）に示すように、押さえ蓋７２を閉状態として側壁部７１ｃに係止させることによって、ケーブル把持部材７０は光ファイバケーブル２４の端末２４ａに取り付けられる。
【００３９】
図５に示すように、スライダ１２０は、基板部１２１と、その上面に立設された一対の側壁部１２２とを有する。
スライダ１２０は、側壁部１２２間の空間であるユニット収納空間１２６に、ユニットベース１１を保持することができる。
【００４０】
側壁部１２２の外面には、凹部１２２ａが形成されている。凹部１２２ａには、スプライス用工具８０の係合壁部８７が嵌合され、係合壁部８７の前後方向の位置を規定する。
側壁部１２２の外面には、接続治具１１０の弾性係止片１３６の係合用凹所１３６ｃに係合する係止用突起１２７が外側方に突出して形成されている。係止用突起１２７の平面視形状は、突端から基端側に行くにしたがって前後寸法が増すテーパ状（例えば三角形状）であることが好ましい。
側壁部１２２には、係合壁部８７の突爪８７ａが挿入される孔部１２５が形成されている。
【００４１】
図１６に示すように、光ファイバケーブル２４は、例えば光ファイバ２１を、該光ファイバ２１に縦添えした一対の線状の抗張力体２６とともに樹脂被覆材２５（外被とも言う）中に埋め込んで一体化した構成の断面略長方形の光ファイバケーブルであり、光ドロップケーブル、光インドアケーブル等として用いられるものである。
光ファイバ２１は光ファイバケーブル２４の断面中央部に配置され、一対の抗張力体２６は光ファイバ２１から光ファイバケーブル２４の断面長手方向両側に離隔した位置に配置されている。光ファイバ２１は、例えば光ファイバ心線、光ファイバ素線といった被覆光ファイバである。
【００４２】
延出光ファイバ２１及び挿入光ファイバ１は光ファイバ心線、光ファイバ素線といった被覆付き光ファイバである。図示例では、延出光ファイバ２１及び挿入光ファイバ１として、単心の光ファイバ心線を採用している。
延出光ファイバ２１の挿入端部先端（前端）には、裸光ファイバ２１ａが口出しされている。スプライス３０での延出光ファイバ２１と挿入光ファイバ１との突き合わせ接続は、挿入光ファイバ１先端に口出しした裸光ファイバ１ａと延出光ファイバ２１の挿入端部先端の裸光ファイバ２１ａとの突き合わせによって実現される。
【００４３】
図１、図１０〜図１２に示すように、スプライス３０には、スプライス用工具８０を取り付けることができる。
スプライス用工具８０は、スプライス３０のベース部材３１と押さえ蓋３２との間を押し広げる介挿片部８１ａを有する２つの介挿部材８１と、介挿部材８１を駆動するスリーブ状の介挿部材駆動部８２と、介挿部材駆動部８２から突出する一対の係合壁部８７とを有する。
【００４４】
図１２に示すように、２つの介挿部材８１は、介挿部材駆動部８２に、その軸線方向（前後方向）に互いに離隔させて取り付けられている。
介挿部材８１は、介挿部材駆動部８２に設けられた介挿部材支持部８９に支持された幹部８４と、幹部８４から介挿部材駆動部８２の中心軸線方向に延出する介挿片支持部８３と、介挿片支持部８３の延在方向複数箇所（図示例では２箇所）に突設された介挿片部８１ａとを有する。これら介挿片部８１ａは、介挿部材本体８３の長さ方向に間隔をおいて形成されている。
【００４５】
図１０および図１２に示すように、介挿部材駆動部８２は、スプライス３０に対面する受圧壁部８６と、受圧壁部８６に対向する対向壁部８５と、受圧壁部８６と対向壁部８５との間を繋ぐ左右両側の駆動部側壁部８８とを有する。
受圧壁部８６は、突壁部６２、６３の嵌合凹部６２ｃ、６３ｃに嵌合することによって、ユニットベース１１に対してスプライス用工具８０の前後方向の移動が規制され、位置決めされる。
介挿部材支持部８９は、介挿部材駆動部８２の対向壁部８５の下面に、受圧壁部８６に向かって突出して形成されており、その内部に、この方向（上下方向）に沿う貫通孔８９ａを有する。貫通孔８９ａの内部には、段差面８９ｃを有する凹部８９ｂが形成されている。
【００４６】
図１２に示すように、幹部８４は、貫通孔８９ａに挿通して介挿部材駆動部８２に取り付けられている。
幹部８４先端部（延出端部）の側面には、外方に突出する係合爪８４ａが形成されている。係合爪８４ａは、貫通孔８９ａ内の段差面８９ｃに係合可能である。
【００４７】
図１１に示すように、スプライス用工具８０は、介挿片部８１ａをスプライス３０のベース部材３１と押さえ蓋３２との間に割り込ませた状態でスプライス３０に取り付けられる。
【００４８】
図１０に示すように、スプライス用工具８０は、介挿部材駆動部８２の両側部分（駆動部側壁部８８）を押圧して（側圧Ｐを参照）互いに接近させることができる。
すなわち、駆動部側壁部８８（押圧用板部８８ｃ）に側圧Ｐを作用させて、これら押圧用板部８８ｃ間の離隔距離を縮めることで、駆動部側壁部８８を変形させて受圧壁部８６と対向壁部８５との間の離隔距離が増大させ、段差面８９ｃに係合した幹部８４を押し上げ、介挿片部８１ａをスプライス３０から抜き去ることができる。
【００４９】
係合壁部８７は、受圧壁部８６の両側部からそれぞれ介挿部材駆動部８２外側に突出して形成されている。
係合壁部８７の突端部には、内方に突出された突爪８７ａが形成されている。
係合壁部８７は、スライダ１２０の凹部１２２ａ内に配置するとともに、突爪８７ａを側壁部１２２の下縁（孔部１２５の内縁）に係合させることができ、これによって、スプライス用工具８０は、ユニットベース１１およびスライダ１２０を抱え込んだ形でスプライス３０に取り付けられ、これら相互の移動が規制される。
【００５０】
図１５に示すように、接続治具１１０は、光ファイバ接続用ユニット１０を案内する第１案内部１３２と、ファイバホルダ９０を保持する第２案内部１４２（ファイバホルダ保持部）とを有する治具基部１３０を備えている。
第１案内部１３２は、光ファイバ接続用ユニット１０をスライド移動させるスライド面１３３が形成された台部１３４と、その両側縁にそれぞれ突設された案内壁部１３５、１３５とを有する。
【００５１】
一対の案内壁部１３５は、第１案内部１３２の形成方向（前後方向）に延在して形成され、スライド面１３３上に載置されたスライダ１２０の基板部１２１の両側縁部１２１ａが当接することによって、光ファイバ接続用ユニット１０の幅方向の移動を規制できる。
案内壁部１３５の下部内面には、光ファイバ接続用ユニット１０の浮き上がり（接続治具１１０から離れる方向の光ファイバ接続用ユニット１０の移動）を規制する溝部１３５ａが形成されている。
溝部１３５ａは、第１案内部１３２の形成方向（前後方向）に沿って形成され、基板部１２１の両側縁部１２１ａが入り込むことによって、スライダ１２０の浮き上がりを規制できる。
【００５２】
治具基部１３０には、第１案内部１３２上の光ファイバ接続用ユニット１０を位置決めする一対の弾性係止片１３６が形成されている。
弾性係止片１３６は、第１案内部１３２の幅方向両側に突設された張出部１３８からスライド面１３３側に突出する湾曲板部１３６ａの先端に、スライダ１２０の係止用突起１２７が入り込む係合用凹所１３６ｃが形成された板状の係合片部１３６ｂを突設した構成になっている。
湾曲板部１３６ａは、第１案内部１３２の前後方向に沿う軸線を以て湾曲する円弧板状に形成されている。この湾曲板部１３６ａの突端はスライド面１３３よりも上方に位置する。
係合片部１３６ｂは、湾曲板部１３６ａの突端から内方に向けてスライド面１３３上に張り出して形成されている。
【００５３】
係合片部１３６ｂの係合用凹所１３６ｃは、該係合片部１３６ｂの前後中央部に、該係合片部１３６ｂの突端から窪む切り欠き状に形成されている。
弾性係止片１３６は、係合用凹所１３６ｃにスライダ１２０の係止用突起１２７が入り込んで該係止用突起１２７と係合したときに、第１案内部１３２に対するスライダ１２０の前後方向の移動を規制できる。
この状態では、弾性係止片１３６が、湾曲板部１３６ａの弾性によってスライダ１２０を挟み込み、スライダ１２０を安定に保持する。
弾性係止片１３６は、第１案内部１３２に沿って前進させた光ファイバ接続用ユニット１０（スライダ１２０）に係合してその前進および後退を規制する係止機構として機能する。
【００５４】
第２案内部１４２は、ファイバホルダ９０をスライド移動させるスライド面１４３が形成された台部１４４と、その両側縁にそれぞれ突設された案内壁部１４５、１４５とを有する。
一対の案内壁部１４５は、第２案内部１４２の形成方向（前後方向）に延在して形成され、スライド面１４３上に載置されたファイバホルダ９０の両側縁に当接してファイバホルダ９０の幅方向の移動を規制できる。
【００５５】
治具基部１３０には、ファイバホルダ９０を位置決めする一対の弾性係止片１４６が形成されている。
弾性係止片１４６は、治具基部１３０から突出する突出板部１４６ａの先端に、ファイバホルダ９０の係止用突起９８が入り込む係合用凹所１４６ｃが形成された板状の係合片部１４６ｂを突設した構成になっている。
係合片部１４６ｂは、突出板部１４６ａの突端から内方に向けてスライド面１４３上に張り出して形成されている。
【００５６】
係合片部１４６ｂの係合用凹所１４６ｃは、該係合片部１４６ｂの前後中央部に、該係合片部１４６ｂの突端から窪む切り欠き状に形成されている。
弾性係止片１４６は、係合用凹所１４６ｃにファイバホルダ９０の係止用突起９８が入り込んで該係止用突起９８と係合したときに、第２案内部１４２に対するファイバホルダ９０の前後方向の移動を規制できる。
この状態では、弾性係止片１４６が、突出板部１４６ａの弾性によってファイバホルダ９０を挟み込み、ファイバホルダ９０を安定に保持する。
弾性係止片１４６は、第２案内部１４２に沿って前進させたファイバホルダ９０に係合してその前進および後退を規制する係止機構として機能する。
【００５７】
第１案内部１３２のスライド面１３３には、第１案内部１３２の形成方向（前後方向）に沿って、溝部１３９が形成されている。
溝部１３９の底部には、スライド面１３３上に突出する弾性突出片１３７が形成されている。
弾性突出片１３７は、前後方向に沿って、第２案内部１４２に近づく方向に徐々に上昇しつつ延出する傾斜板部１３７ａと、傾斜板部１３７ａの延出端から前後方向に沿って、スライド面１３３と平行に延出する延出板部１３７ｂとを有する。
延出板部１３７ｂの上面の高さ位置は、第２案内部１４２上で位置決めされたファイバホルダ９０から延出した挿入光ファイバ１に近接する位置であることが好ましい（図１９（ａ）参照）。
【００５８】
弾性突出片１３７は、基端部１３７ｃにおいて弾性的に曲げ変形可能である。
このため、光ファイバ接続用ユニット１０をスライド面１３３上で前進させる際には、傾斜板部１３７ａが光ファイバ接続用ユニット１０に押し下げられて溝部１３９に収容されることから、弾性突出片１３７によって光ファイバ接続用ユニット１０の前進に支障が生じることはない。
【００５９】
弾性突出片１３７には、ファイバホルダ９０からメカニカルスプライス３０に向けて突出する挿入光ファイバ１の位置確認用の１または複数の表示１４０を形成することができる。
図示例では、表示１４０は、傾斜板部１３７ａまたは延出板部１３７ｂに形成された凹部または孔部である。なお、表示１４０は識別可能であればよく、その形態は図示例に限定されず、凸部や着色によって形成してもよい。
図示例の表示１４０は、光ファイバカッター（図示略）によって長さ調整される前の挿入光ファイバ１の先端の位置確認用の表示１４０ａと、挿入光ファイバ１の裸光ファイバ１ａの先端の位置確認用の表示１４０ｂと、挿入光ファイバ１の被覆１ｂの先端の位置確認用の表示１４０ｃとを有する。
表示１４０ａは傾斜板部１３７ａに形成されている。表示１４０ｂ、１４０ｃは、延出板部１３７ｂに、長さ方向に位置を違えて形成されている。
挿入光ファイバ１の先端を、表示１４０（１４０ａ〜１４０ｃ）と照合することによって、ファイバホルダ９０から突出する挿入光ファイバ１の処理長さ（長さ調整前の挿入光ファイバ１の長さ、裸光ファイバ１ａの先端までの長さ、および被覆１ｂの先端までの長さ）を容易に確認でき、精度の高い接続作業が可能となる。
【００６０】
治具基部１３０の第２案内部１４２の下部には、光ファイバ接続工具１００を仮置きするための切欠き１３０ａが形成されている。切欠き１３０ａは、第２案内部１４２の下縁から後方に行くに従って徐々に上昇するように斜め方向に形成されている。
光ファイバ接続工具１００は、例えばクロージャのケース（図示略）の端縁部を切欠き１３０ａに挿入した状態で前記ケースに係止させることによって、仮置きすることができる。
【００６１】
図１３に示すように、光ファイバホルダ９０（第１光ファイバ固定部）は、ベース部９１と、ヒンジ部となる基端部９２ａでベース部９１に対し回動自在に結合された蓋体９２とを有し、ベース部９１上の挿入光ファイバ１を、蓋体９２によってベース部９１に押さえ込んで把持固定できる。
ファイバホルダ９０については、光ファイバ接続用ユニット１０に近づく方向（図３の左方向）を前方といい、その反対方向を後方と言うことがある。
【００６２】
ベース部９１は、基体部９５と、その前端面の一側部から前方に延出する一側延出部９６と、基体部９５の前端面の他側部から前方に延出する他側延出部９７とを備えている。
一側延出部９６および他側延出部９７の間に確保されたユニット収容空間９９（第１ユニット収容空間）には、光ファイバ接続用ユニット１０の前端部を収容できる。
【００６３】
ベース部９１（基体部９５）の上面９１ｂには、挿入光ファイバ１を収容する位置決め凹部９３ａを有する第１保持壁部９３と、位置決め凹部９４ａを有する第２保持壁部９４とが形成されている。
第２保持壁部９４は第１保持壁部９３の前方に、第１保持壁部９３から離間して形成されている。
【００６４】
ベース部９１（基体部９５）の上面には、位置決め凹部９３ａから位置決め凹部９４ａを経て前後方向に延在する直線状の位置決め溝９１ａが形成されている。位置決め溝９１ａは、挿入光ファイバ１を位置決めする溝部であって、例えば断面略Ｖ字形、断面略Ｕ字形、断面半円形などとすることができる。
一側延出部９６および他側延出部９７の外側面には、弾性係止片１４６の係合用凹所１４６ｃに係合する係止用突起９８が外側方に突出して形成されている。係止用突起９８の平面視形状は、突端から基端側に行くにしたがって前後寸法が増すテーパ状（例えば三角形状）であることが好ましい。
【００６５】
一側延出部９６の内面９６ａには、内方に突出する照合用凸部９６ｂ（第１進入阻止部）が前後方向に沿って延在して形成されている。
照合用凸部９６ｂは、光ファイバ接続用ユニット１０の照合用凹部６２ｂに入り込む形状のものであって、光ファイバ接続用ユニット１０以外の光ファイバ接続用ユニット（例えば図２２の光ファイバ接続用ユニット２０）に対して用いられたときに、その先端部がユニット収容空間９９に進入するのを阻止する。
図示例の照合用凸部９６ｂは、断面矩形状である。
【００６６】
蓋体９２をベース部９１の上面９１ｂに被せた状態（閉状態）では、蓋体９２は保持壁部９３、９４の間に配置される。
蓋体９２の基端部９２ａ（ヒンジ部）とは反対の端部である先端部９２ｂ側に形成された係止突起９２ｃは、ベース部９１に形成された係止凹部９１ｃに係脱自在に嵌合できる。
蓋体９２は、ベース部９１の上面９１ｂに被せた状態（閉状態）で、係止突起９２ｃをベース部９１の係止凹部９１ｃに係合させることで、挿入光ファイバ１をベース部９１（基体部９５）に押さえ込んで把持固定できる。
蓋体９２はベース部９１と一体に成形されてもよい。
【００６７】
次に、光ファイバ接続工具１００を用いて延出光ファイバ２１と挿入光ファイバ１とを接続（光接続）する方法について、図１７〜図１９を参照しつつ説明する。
図１７に示すように、予め、スプライス用工具８０を光ファイバ接続用ユニット１０に取り付けることによって、介挿片部８１ａをスプライス３０の把持部材３４間に割り入れ、スプライス３０を、挿入された光ファイバ１、２１が自由に挿入および抜去方向に移動できる状態としておく。
【００６８】
図１８に示すように、挿入光ファイバ１は、ベース部９１の位置決め溝９１ａ内に配置し、蓋体９２によってベース部９１に押さえ込んで把持固定する。挿入光ファイバ１は、前方への所定の突出長を確保してファイバホルダ９０に固定する。
挿入光ファイバ１のファイバホルダ９０からの突出長は、挿入光ファイバ１に撓みが生じない場合に、スプライス３０内の最適位置で裸光ファイバ１ａ、２１ａ同士が突き当てられるように設定する。
前記突出長は、例えば、光ファイバ接続用ユニット１０およびファイバホルダ９０が弾性係止片１３６、１４６によって位置決めされたときに、裸光ファイバ１ａ先端がスプライス３０の中央位置に達する長さとすることができる。
【００６９】
ファイバホルダ９０は、第２レール部１４２のスライド面１４３に載置し、係止用突起９８を弾性係止片１４６の係合用凹所１４６ｃに係合させる。これによって、ファイバホルダ９０は、弾性係止片１４６によって挟み込まれて安定に保持された状態でスライド面１４３上に位置決めされる。
【００７０】
次いで、図１７に示すように、光ファイバケーブル２４を把持したケーブル把持部材７０を把持部材保持部５０に載せ、基体部５１上で前進させることによって、スプライス３０の一端側に延出光ファイバ２１を挿入する。
把持ベース７１のケーブル嵌合溝７１ａの前端からの延出光ファイバ２１の突出長は、光ファイバ接続用ユニット１０が前進限界位置（後述）にあるときに、スプライス３０内の延出光ファイバ２１の裸光ファイバ２１ａまでの距離よりも若干長くする。
レバー部材１５０を回動させてケーブル把持部材７０の後退を規制する。
【００７１】
図１８および図１９（ａ）に示すように、光ファイバ接続用ユニット１０を、接続治具１１０の第１案内部１３２のスライド面１３３上に載置する。光ファイバ接続用ユニット１０は、案内壁部１３５によって幅方向の移動が規制される。
【００７２】
次いで、光ファイバ接続用ユニット１０をファイバホルダ９０に向かって前進させる。
光ファイバ接続用ユニット１０の移動過程では、基板部１２１の両側縁部１２１ａが側壁部１３５の内面の溝部１３５ａに入り込むことによってスライダ１２０の浮き上がりが規制されるため、挿入光ファイバ１に対する正確な位置決めが可能となる。
光ファイバ接続用ユニット１０をスライド面１３３上でファイバホルダ９０に向かって前進させる際には、弾性突出片１３７の斜板部１３７ａが光ファイバ接続用ユニット１０に押し下げられて溝部１３９に収容されることから、弾性突出片１３７によって光ファイバ接続用ユニット１０の前進に支障が生じることはない。
【００７３】
図１９（ｂ）に示すように、光ファイバ接続用ユニット１０の前進によって、挿入光ファイバ１は、スプライス保持部６０内のスプライス３０の被覆部挿入溝３１ｄ、３２３ｂに挿入される。
図１９（ｃ）に示すように、光ファイバ接続用ユニット１０をさらに前進させると、挿入光ファイバ１の裸光ファイバ１ａは調心溝３１ｂに挿入されて、延出光ファイバ２１の裸光ファイバ２１ａ先端に突き当てられる。
符号Ｃ１は突き合わせ接続位置である。
【００７４】
図１９（ｄ）に示すように、光ファイバ接続用ユニット１０をさらに前進させ、係止用突起１２７を弾性係止片１３６の係合用凹所１３６ｃに係合させる。
これによって、光ファイバ接続用ユニット１０は、弾性係止片１３６によって挟み込まれて安定に保持された状態でスライド面１３３上に位置決めされる。この光ファイバ接続用ユニット１０の位置を前進限界位置と言う。
この際、スプライス３０とケーブル把持部材７０との間の延出光ファイバ２１には、撓み変形２１ｃが生じる。
【００７５】
図１９（ｃ）等において、Ｌ１は、スプライス３０の後端とケーブル把持部材７０との間に確保される第１の撓み幅であり、Ｌ２は、スプライス３０とファイバホルダ９０との間に確保される第２の撓み幅である。
【００７６】
図４および図１３に示すように、前進限界位置では、光ファイバ接続用ユニット１０の前端部は、ファイバホルダ９０の一側延出部９６と他側延出部９７との間のユニット収容空間９９に進入する。
図２６に示すように、この際、ファイバホルダ９０の照合用凸部９６ｂは光ファイバ接続用ユニット１０の照合用凹部６２ｂに入り込むため、光ファイバ接続用ユニット１０の進入が阻止されることはない。
このため、光ファイバ接続用ユニット１０は、挿入光ファイバ１の把持位置に十分に近づくことができる。
【００７７】
次いで、図１９（ｅ）および図１０に示すように、スプライス用工具８０の介挿部材駆動部８２に両側から側圧Ｐを与えて、スプライス３０から介挿片部８１ａを抜き去る。
スプライス３０から介挿片部８１ａを抜き去ると、スプライス３０の半割り把持部材３４が、クランプばね３３の弾性によって裸光ファイバ１ａ、２１ａを、突き合わせ状態を保ったまま把持固定する。これにより、スプライス３０にて、延出光ファイバ２１と挿入光ファイバ１とを突き合わせ接続（光接続）する作業が完了する。
接続作業が完了した延出光ファイバ２１と挿入光ファイバ１とは、スプライス３０の半割り把持部材３４に把持固定される結果、裸光ファイバ１ａ、２１ａ同士の突き合わせ状態を安定に維持できる。
延出光ファイバ２１の撓み変形２１ｃの大部分は、ユニットベース１１の把持部材保持部５０とレバー部材１５０に囲まれ、外力から保護される。
【００７８】
延出光ファイバ２１と挿入光ファイバ１とを接続した光ファイバ接続工具１００は、光ファイバ接続箱（例えばクロージャ、光成端箱等）内に収納して設置できる。
【００７９】
挿入光ファイバ１の突出長および口出し長さの調整は、挿入光ファイバ１を固定したファイバホルダ９０を光ファイバカッター（図示略）に載置して挿入光ファイバ１を所定の長さに切断した後、ファイバホルダ９０をストリッパ（図示略）に移して挿入光ファイバ１の先端部の被覆を除去する方法がとられる。
光ファイバカッターおよびストリッパは、光ファイバの位置決めのための基準面の位置を変えることができないため、通常は、ファイバホルダと基準面との間に所定の大きさのスペーサを置いてファイバホルダの位置を調整することが必要となり、操作が煩雑となる。
これに対し、光ファイバ接続工具１００では、ファイバホルダ９０が一側延出部９６と他側延出部９７とを備えているため、スペーサを使用しなくても、これら延出部９６、９７によって、光ファイバカッターおよびストリッパの基準面に対する位置調整が可能となる。すなわち、ベース部９１（基体部９５）を基準面から離れた位置に位置決めできる。
スペーサを使用する必要がないため、ファイバホルダ９０からの突出長および口出し長さの調整の際の作業が容易になる。
また、延出部９６、９７は、それらの間に光ファイバ接続用ユニット１０の前端部を進入させることができるため、接続作業では光ファイバ接続用ユニット１０を挿入光ファイバ１の把持位置に十分に近づけることができる。よって、延出部９６、９７があるにもかかわらず、挿入光ファイバ１の余長を必要以上に長く確保する必要はない。
【００８０】
次に、光ファイバ接続工具の第２の実施形態を説明する。以下の説明において、第１実施形態との共通部分については同じ符号を付して説明を省略する。
図２０〜図２２に示すように、光ファイバ接続工具２００は、光ファイバ接続用ユニット２０と、挿入光ファイバ１を把持した第２ファイバホルダ１９０（第２光ファイバ固定部）と、これらが載置される接続治具１１０と、を備えている。
光ファイバ接続用ユニット２０（第２光ファイバ接続用ユニット）は、光コネクタ２１０と、これを保持するスライダ２２０（被案内部）とを備えている。
光ファイバ接続用ユニット２０については、ファイバホルダ１９０に近づく方向を前方といい、その反対方向を後方と言うことがある。また、クランプ部付きフェルール１６０の説明に限っては、フェルール１６１の接合端面１６１ｂに向かう方向を前方ということがある。
【００８１】
光コネクタ２１０は、断面矩形のスリーブ状のつまみ１７０と、つまみ１７０内に設けられたスリーブ状のハウジング１８０と、ハウジング１８０内に設けられたクランプ部付きフェルール１６０とを備えている。
【００８２】
図２１および図２３に示すように、クランプ部付きフェルール１６０は、光ファイバ１６２（内蔵光ファイバ１６２。第１の光ファイバ、一方側の光ファイバ）を内挿固定したフェルール１６１の後側に、クランプ部１６３（第２メカニカルスプライス、接続機構）を組み立てたものである。
クランプ部１６３は、内蔵光ファイバ１６２の後側突出部１６２ａと、後側から挿入して内蔵光ファイバ１６２後端に突き当てた光ファイバ１先端部とを把持固定して光ファイバ１６２、１同士の突き合わせ接続状態を維持する。
【００８３】
クランプ部１６３は、フェルール１６１のフランジ部１６４から後側に延出するベース部材１６５（後側延出片１６５）（ベース側素子）と蓋部材１６６、１６７（蓋側素子）と、これらを内側に一括保持したクランプばね１６８とを備えている。
クランプ部１６３は、ベース部材１６５と蓋部材１６６、１６７との間に、内蔵光ファイバ１６２の後側突出部１６２ａと、内蔵光ファイバ１６２後端に突き当てた挿入光ファイバ１先端部とを挟み込んで把持固定することができる。
【００８４】
内蔵光ファイバ１６２は、フェルール１６１にその軸線と同軸に貫設された微細孔であるファイバ孔１６１ａに内挿され、接着剤を用いた接着固定等によってフェルール１６１に固定されている。このため、フェルール１６１は内蔵光ファイバ１６２を、クランプ部１６３の前側でクランプ部１６３に対し位置決めする位置決め機構として機能する。
内蔵光ファイバ１６２の前端の端面は、フェルール１６１先端（前端）の接合端面１６１ｂに露出している。
フェルール１６１の後端部には、その外周に周設（突設）されたフランジ部１６４が一体化されている。
クランプ部１６３は、フランジ部１６４からフェルール１６１後側へ延出された後側延出片１６５と、蓋部材１６６、１６７とを、クランプばね１６８の内側に一括保持した構成になっている。
【００８５】
後側延出片１６５の蓋部材１６６、１６７に対面する対向面１６５ａ（溝形成面）には、内蔵光ファイバ１６２の後側突出部１６２ａをフェルール１６１のファイバ孔１６１ａの後方延長上に位置決めする調心溝１６９ａと、調心溝１６９ａの後端から後方に延在する被覆部収納溝１６９ｂが形成されている。
【００８６】
後蓋部材１６７の対向面１６７ａには、後側延出片１６５の被覆部収納溝１６９ｂに対応する位置に被覆部収納溝１６９ｃが延在形成されている。
前蓋部材１６６には、後側延出片１６５の対向面１６５ａに対面する平坦な対向面１６６ａが形成されている。
【００８７】
後側延出片１６５と蓋部材１６６、１６７との間には、スプライス用工具２３０の介挿片部２３１ａが抜き去り可能に介挿できる（図２４参照）。
図２１に示すように、介挿片部２３１ａは、つまみ１７０の挿通孔１７０ａ、および、ハウジング１８０の挿通孔１８１ａを介してクランプ部１６３の後側延出片１６５と蓋部材１６６、１６７との間に挿入できる。
【００８８】
ハウジング１８０は、スリーブ状（円筒状）の本体部１８１と、本体部１８１の後端から後方に延出するスリーブ状（円筒状）の延出筒部１８２とを有する。
本体部１８１には、その軸線方向に間隔をおいて、介挿片部２３１ａが挿通可能な２つの挿通孔１８１ａが形成されている。２つの挿通孔１８１ａは、本体部１８１の軸線方向に間隔をおいて形成されている。
延出筒部１８２の外周面には、凹凸部１８２ａを形成することが好ましい。図示例の凹凸部１８２ａは、延出筒部１８２の周方向に沿う複数の環状凸部からなる。
【００８９】
図２１において、符号１７１は、フェルール１６１が挿入される位置決めスリーブである。
符号１７２は、クランプ部付きフェルール１６０を保持し、位置決めする保持具である。保持具１７２は、基部１７３と、基部１７３から延出する一対の弾性片１７４とを有し、弾性片１７４，１７４間にクランプ部付きフェルール１６０を保持できる。
【００９０】
図２１に示すように、スライダ２２０は、基板部２２１と、その上面に立設された一対の側壁部２２２と、基板部２２１の前端から前方に突出して形成されたハウジング支持部２２３と、基板部２２１から上方に突出して光コネクタ２１０を位置決めする一対の弾性係止片２２５と、を有する。
スライダ２２０は、側壁部２２２間の空間２２４に、光コネクタ２１０を保持することができる。
【００９１】
弾性係止片２２５は、側壁部２２２の上縁から上方に突出する板状とされ、先端部の内面には、光コネクタ２１０のつまみ１７０に係止する係止凸部２２５ａが形成されている。弾性係止片２２５は、弾性的に曲げ変形可能である。
側壁部２２２の外面には、接続治具１１０の弾性係止片１３６の係合用凹所１３６ｃに係合する係止用突起２２７が外側方に突出して形成されている。
【００９２】
図２１および図２２に示すように、ハウジング支持部２２３は、基体部２２６と、その上面から突出する一対の側板部２２７とを有し、側板部２２７、２２７間の収容空間２２８にハウジング１８０の延出筒部１８２を保持できる。
【００９３】
図２２および図２７に示すように、基体部２２６の一方の側面２２６ａ（ファイバホルダ１９０の他側延出部１９７側に相当）には、他側延出部１９７の照合用凸部１９７ｂが入り込むことができる照合用凹部２２６ｂが形成されている。図示例の照合用凹部２２６ｂは、断面矩形の照合用凸部１９７ｂに沿う断面矩形状である。照合用凹部２２６ｂは、前後方向に沿う溝状に形成されている。
基体部２２６の他方の側面２２６ｃ（ファイバホルダ１９０の一側延出部１９６側に相当）には、側方に突出する凸部２２６ｄが前後方向に沿って延在して形成されている。
【００９４】
図２１、図２２および図２４に示すように、クランプ部付きフェルール１６０のクランプ部１６３には、スプライス用工具２３０を取り付けることができる。
スプライス用工具２３０は、クランプ部１６３の後側延出片１６５と蓋部材１６６、１６７との間を押し広げる介挿片部２３１ａを有する２つの介挿部材２３１と、介挿部材２３１を駆動するスリーブ状の介挿部材駆動部２３２と、介挿部材駆動部２３２から突出する一対の係合壁部２３７とを有する。
【００９５】
２つの介挿部材２３１、２３１は、介挿部材駆動部２３２に、その軸線方向に互いに離隔させて設けられている。
スプライス用工具２３０は、介挿片部２３１ａを後側延出片１６５と蓋部材１６６、１６７との間に割り込ませた状態でクランプ部１６３に取り付けられる。
【００９６】
スプライス用工具２３０は、介挿部材駆動部２３２の両側部分を押圧して（図１０を参照）互いに接近させることで、介挿部材駆動部２３２の受圧壁部２３６に対して対向壁部２３５を上昇させることができる。これによって、介挿片部２３１ａをクランプ部１６３から抜き去ることができる。
【００９７】
係合壁部２３７の突端部には、光ファイバ接続用ユニット２０に係止する突爪２３７ａが内方に突出して形成されている。
スプライス用工具２３０は、係合壁部２３７、２３７間に光ファイバ接続用ユニット２０を保持することができる。
【００９８】
図２５に示すように、第２案内部１４２に保持される光ファイバホルダ１９０は、ベース部１９１と、ヒンジ部となる基端部１９２ａでベース部１９１に対し回動自在に結合された蓋体１９２とを有し、ベース部１９１上の挿入光ファイバ１を、蓋体１９２によってベース部１９１に押さえ込んで把持固定できる。
蓋体１９２はベース部１９１と一体に成形されてもよい。
ファイバホルダ１９０については、光ファイバ接続用ユニット２０に近づく方向を前方といい、その反対方向を後方と言うことがある。
【００９９】
ベース部１９１は、基体部１９５と、その前端面の一側部から前方に延出する一側延出部１９６と、基体部１９５の前端面の他側部から前方に延出する他側延出部１９７とを備えている。
一側延出部１９６および他側延出部１９７は、その間に確保されたユニット収容空間１９９（第２ユニット収容空間）に、光ファイバ接続用ユニット２０の前端部を収容できる。
【０１００】
一側延出部１９６の内面１９６ａには、前後方向に沿う溝状の凹部１９６ｂが形成されている。
【０１０１】
図２５および図２７に示すように、他側延出部１９７の内面１９７ａには、内方に突出する照合用凸部１９７ｂ（第２進入阻止部）が前後方向に沿って形成されている。
照合用凸部１９７ｂは、光ファイバ接続用ユニット２０の照合用凹部２２６ｂに入り込む形状のものであって、光ファイバ接続用ユニット２０以外の光ファイバ接続用ユニット（例えば図５の光ファイバ接続用ユニット１０）に用いられた場合には、その先端部がユニット収容空間１９９に進入するのを阻止する。
図示例の照合用凸部１９７ｂは、断面矩形状である。
【０１０２】
ベース部１９１（基体部１９５）の上面１９１ｂには、挿入光ファイバ１を収容する位置決め凹部１９３ａを有する第１保持壁部１９３と、位置決め凹部１９４ａを有する第２保持壁部１９４と、位置決め凹部１９５ａを有する台部１９５ｂと、が形成されている。
第２保持壁部１９４は第１保持壁部１９３の前方に、第１保持壁部１９３から離間して形成されている。
台部１９５ｂは第２保持壁部１９４の前方に、第２保持壁部１９４から離間して形成されている。
【０１０３】
ベース部１９１（基体部１９５）の上面には、位置決め凹部１９３ａから位置決め凹部１９４ａを経て前後方向に延在する直線状の位置決め溝１９１ａが形成されている。位置決め溝１９１ａは、挿入光ファイバ１を位置決めする溝部であって、例えば断面略Ｖ字形、断面略Ｕ字形、断面半円形などとすることができる。
一側延出部１９６および他側延出部１９７の外側面には、弾性係止片１４６の係合用凹所１４６ｃに係合する係止用突起１９８が外側方に突出して形成されている。係止用突起１９８の平面視形状は、突端から基端側に行くにしたがって前後寸法が増すテーパ状（例えば三角形状）であることが好ましい。
【０１０４】
蓋体１９２をベース部１９１の上面１９１ｂに被せた状態（閉状態）では、蓋体１９２は保持壁部１９３、１９４の間に配置される。
蓋体１９２の基端部１９２ａ（ヒンジ部）とは反対の端部である先端部１９２ｂ側に形成された係止突起１９２ｃは、ベース部１９１に形成された係止凹部１９１ｃに係脱自在に嵌合できる。
蓋体１９２は、ベース部１９１の上面１９１ｂに被せた状態（閉状態）で、係止突起１９２ｃをベース部１９１の係止凹部１９１ｃに係合させることで、挿入光ファイバ１をベース部１９１（基体部１９５）に押さえ込んで把持固定できる。
【０１０５】
第１ファイバホルダ９０と第２ファイバホルダ１９０は、互いに異なる色を呈することが好ましい。例えば、第１ファイバホルダ９０を黒色とし、第２ファイバホルダ１９０を白色とすることができる。
これによって、第１ファイバホルダ９０と第２ファイバホルダ１９０とを目視で容易に識別できる。
第１光ファイバ接続用ユニット１０の少なくとも一部は、第１ファイバホルダ９０と同系の色を呈し、第２光ファイバ接続用ユニット２０の少なくとも一部は、第２ファイバホルダ１９０と同系の色を呈することが好ましい。
同系の色とは、同じまたは近接した色相を有する色である。色相が同じまたは近接していれば、明度や彩度が異なっていてもよい。
例えば、第１ファイバホルダ９０が黒色であるときには、第１光ファイバ接続用ユニット１０のユニットベース１１またはスライダ１２０を黒色とすることができる。
また、第２ファイバホルダ１９０が白色であるときには、第２光ファイバ接続用ユニット２０のスライダ２２０を白色とすることができる。
これによって、光ファイバ接続用ユニット１０、２０と、ファイバホルダ９０、１９０との正しい組み合わせを目視により確認しやすくなるため、誤操作を確実に防止できる。
光ファイバ接続用ユニット１０、２０とファイバホルダ９０、１９０に採用できる色としては、白、黒に限らず、赤、青、黄、緑、橙等がある。
【０１０６】
次に、光ファイバ接続工具２００を用いて内蔵光ファイバ１６２と挿入光ファイバ１とを接続（光接続）する方法について、図２８を参照しつつ説明する。
図２２〜図２４に示すように、予め、スプライス用工具２３０を光ファイバ接続用ユニット２０に取り付けることによって、介挿片部２３１ａをクランプ部１６３の後側延出片１６５と蓋部材１６６、１６７との間に挿入し、挿入光ファイバ１が挿入可能な状態とする。
【０１０７】
図２５に示すように、挿入光ファイバ１は、ベース部１９１の位置決め溝１９１ａ内に配置し、蓋体１９２によってベース部１９１に押さえ込んで把持固定する。挿入光ファイバ１は、前方への所定の突出長を確保してファイバホルダ１９０に固定する。
ファイバホルダ１９０は、第２レール部１４２のスライド面１４３に載置し、係止用突起１９８を弾性係止片１４６の係合用凹所１４６ｃに係合させて位置決めする。
【０１０８】
次いで、図２８（ａ）および図２８（ｂ）に示すように、光ファイバ接続用ユニット２０を、接続治具１１０の第１案内部１３２のスライド面１３３上に載置し、案内壁部１３５によって幅方向の移動が規制された状態で、ファイバホルダ１９０に向かって前進させる。
光ファイバ接続用ユニット２０の移動過程では、基板部２２１の両側縁部２２１ａが側壁部１３５の内面の溝部１３５ａに入り込むことによってスライダ２２０の浮き上がりが規制される。
【０１０９】
図２８（ｃ）に示すように、光ファイバ接続用ユニット１０の前進によって、係止用突起２２７を弾性係止片１３６の係合用凹所１３６ｃに係合させることによって、光ファイバ接続用ユニット２０は、弾性係止片１３６によって挟み込まれて安定に保持された状態でスライド面１３３上に位置決めされる。この光ファイバ接続用ユニット２０の位置を前進限界位置と言う。
挿入光ファイバ１は、クランプ部付きフェルール１６０の調心溝１６９ａに挿入され、内蔵光ファイバ１６２の後端に突き当てられる。符号Ｃ１は突き合わせ接続位置である。クランプ部付きフェルール１６０とファイバホルダ１９０の間の挿入光ファイバ１には撓みが形成されてもよい。
【０１１０】
図２５に示すように、前進限界位置では、光ファイバ接続用ユニット２０の前端部は、ファイバホルダ１９０の一側延出部１９６と他側延出部１９７との間に確保された第２ユニット収容空間１９９に進入する。
図２７に示すように、この際、ファイバホルダ１９０の照合用凸部１９７ｂは光ファイバ接続用ユニット２０の照合用凹部２２６ｂに入り込むため、光ファイバ接続用ユニット２０の進入が阻止されることはない。
このため、光ファイバ接続用ユニット２０は、挿入光ファイバ１の把持位置に十分に近づくことができる。
【０１１１】
図２８（ｄ）に示すように、スプライス用工具２３０を操作して、クランプ部１６３から介挿片部２３１ａを抜き去ると、クランプばね１６８の弾性によって、後側延出片１６５と蓋部材１６６、１６７との間に光ファイバ１先端の裸光ファイバ１ａが把持固定される。これにより、クランプ部付きフェルール１６０の内蔵光ファイバ１６２に対する光ファイバ１の突き合わせ接続状態を安定に保つことができる。
【０１１２】
図２６に示すように、第１の実施形態の光ファイバ接続工具１００では、光ファイバ１、２１の接続にあたって、第１ファイバホルダ９０の一側延出部９６の照合用凸部９６ｂ（第１進入阻止部）が第１光ファイバ接続用ユニット１０の照合用凹部６２ｂに入り込むため、第１光ファイバ接続用ユニット１０の前端部は、支障なくユニット収容空間９９に進入することができるようになる。
一方、図２７に示すように、第２の実施形態の光ファイバ接続工具２００では、光ファイバ１６２、２１の接続にあたって、第２ファイバホルダ１９０の他側延出部１９７の照合用凸部１９７ｂ（第２進入阻止部）が第２光ファイバ接続用ユニット２０の照合用凹部２２６ｂに入り込むため、第２光ファイバ接続用ユニット２０の前端部は、支障なくユニット収容空間１９９に進入することができる。
【０１１３】
図２６および図２７からわかるように、第２光ファイバ接続用ユニット２０の他側面には凹部がないため、仮に、第２光ファイバ接続用ユニット２０を第１ファイバホルダ９０に使用しようとすると、第１ファイバホルダ９０の照合用凸部９６ｂによって、第２光ファイバ接続用ユニット２０のユニット収容空間９９への進入は阻止される。
逆に、第１光ファイバ接続用ユニット１０の一側面には凹部がないため、第１光ファイバ接続用ユニット１０を第２ファイバホルダ１９０に使用しようとすると、第２ファイバホルダ１９０の照合用凸部１９７ｂによって、第１光ファイバ接続用ユニット１０のユニット収容空間１９９への進入が阻止される。
【０１１４】
すなわち、図２９に示すように、第１光ファイバ接続用ユニット１０と第２ファイバホルダ１９０との組み合わせでは、接続操作に支障が生じ、同様に、第２光ファイバ接続用ユニット２０と第１ファイバホルダ１９０との組み合わせでも接続操作に支障が生じる。
これに対し、第１光ファイバ接続用ユニット１０と第１ファイバホルダ１９０との組み合わせ、または、第２光ファイバ接続用ユニット２０と第２ファイバホルダ１９０との組み合わせでは、問題なく接続作業が可能である。
このように、光ファイバ接続工具１００、２００によれば、光ファイバ接続用ユニット１０、２０と、ファイバホルダ９０、１９０との組み合わせが正しくないと接続作業を行うことができないことから、誤操作を確実に防止できる。
【０１１５】
上述の例では、第１ファイバホルダ９０の一側延出部９６に、照合用凸部９６ｂ（第１進入阻止部）を形成し、第２ファイバホルダ１９０の他側延出部１９７に照合用凸部１９７ｂ（第２進入阻止部）を形成した。すなわち、第１ファイバホルダ９０の第１進入阻止部と第２ファイバホルダ１９０の第２進入阻止部とを、互いに異なる側の延出部に形成した。
このため、ファイバホルダ９０、１９０に対する光ファイバ接続用ユニット１０、２０の進入位置が変動しても、組み合わせが異なる光ファイバ接続用ユニット１０、２０の進入を確実に阻止できる。
【０１１６】
本発明では、第１進入阻止部の形状は、第２光ファイバ接続用ユニットに当接してその進入を妨げるものであれば、図示例に限定されない。同様に、第２進入阻止部の形状は、第１光ファイバ接続用ユニットに当接してその進入を妨げるものであれば、図示例に限定されない。
例えば、図示例ではファイバホルダ側に凸部を形成し、光ファイバ接続用ユニット側にこれに応じた凹部を形成したが、逆に、ファイバホルダに凹部を形成し、光ファイバ接続用ユニットに、これに応じた凸部を形成してもよい。
また、上述の例では、照合用凸部９６ｂ（第１進入阻止部）は第１ファイバホルダ９０の一側延出部９６に形成され、照合用凸部１９７ｂ（第２進入阻止部）は第２ファイバホルダ１９０の他側延出部１９７に形成されているが、第１および第２進入阻止部が、いずれも一側延出部と他側延出部のうち一方にのみ形成されていてもよい。
なお、第１および第２進入阻止部の形状は断面矩形状に限定されず、断面円弧状、断面多角形状などとしてよい。
【０１１７】
スプライス、介挿部材、ファイバホルダの具体的構成は、本発明の技術的思想に適合する限り、なんら限定されるものではない。
挿入光ファイバは特に限定されず、例えば複数フロアを有する建築物において各フロアにわたる縦穴（例えばエレベータ用昇降路）に布設される光ファイバ、屋内配線された光ファイバ、光複合電子機器に配線された光ファイバ等を例示できる。
【符号の説明】
【０１１８】
１…挿入光ファイバ（他方側の光ファイバ）、１０…光ファイバ接続用ユニット（第１光ファイバ接続用ユニット）、２０…光ファイバ接続用ユニット（第２光ファイバ接続用ユニット）、２１…延出光ファイバ（一方側の光ファイバ）、３０…メカニカルスプライス（第１メカニカルスプライス）、９０…ファイバホルダ（第１光ファイバ固定部）、９５、１９５…基体部、９６、１９６…一側延出部、９７、１９７…他側延出部、９６ｂ…照合用凸部（第１進入阻止部）、１１０…接続治具、１３２…第１案内部、１４２…第２案内部（保持部）、１６１…フェルール、１６２…内蔵光ファイバ（一方側の光ファイバ）、１６３…クランプ部（第２メカニカルスプライス）、１９０…ファイバホルダ（第２光ファイバ固定部）、１９７ｂ…照合用凸部（第２進入阻止部）。
【図１】
2014167578.tif 000003
【図２】
2014167578.tif 000004
【図３】
2014167578.tif 000005
【図４】
2014167578.tif 000006
【図５】
2014167578.tif 000007
【図６】
2014167578.tif 000008
【図７】
2014167578.tif 000009
【図８】
2014167578.tif 000010
【図９】
2014167578.tif 000011
【図１０】
2014167578.tif 000012
【図１１】
2014167578.tif 000013
【図１２】
2014167578.tif 000014
【図１３】
2014167578.tif 000015
【図１４】
2014167578.tif 000016
【図１５】
2014167578.tif 000017
【図１６】
2014167578.tif 000018
【図１７】
2014167578.tif 000019
【図１８】
2014167578.tif 000020
【図１９】
2014167578.tif 000021
【図２０】
2014167578.tif 000022
【図２１】
2014167578.tif 000023
【図２２】
2014167578.tif 000024
【図２３】
2014167578.tif 000025
【図２４】
2014167578.tif 000026
【図２５】
2014167578.tif 000027
【図２６】
2014167578.tif 000028
【図２７】
2014167578.tif 000029
【図２８】
2014167578.tif 000030
【図２９】
2014167578.tif 000031